(57)【要約】【課題】  散水開始直後の散水範囲が、目標とする散水範囲に到達可能な散水システム、およびこれを用いた農業用ハウスを提供する。【解決手段】  水を供給する送水ポンプ２と、送水ポンプ２から供給された水を加圧して蓄える蓄圧タンク３と、蓄圧タンク３から加圧された水を供給され、この加圧された水を散水する散水用の孔４ａを管壁に設けた散水チューブ４とを備える。【選択図】図１
2014057568.tif 000002
【特許請求の範囲】
【請求項１】
水を供給する送水ポンプと、
前記送水ポンプから供給された水を加圧して蓄える蓄圧タンクと、
前記蓄圧タンクから前記加圧された水を供給され、この加圧された水を散水する散水用の孔を管壁に設けた散水チューブと
を備えることを特徴とする散水システム。
【請求項２】
前記散水チューブは、前記蓄圧タンクの出水経路が接続される複数の接続部を備え、前記接続部は、当該散水チューブの軸方向に離間して設けられることを特徴とする請求項１記載の散水システム。
【請求項３】
前記送水ポンプは、複数の配管を介して前記散水チューブに水を供給し、
前記配管の各々に、前記蓄圧タンクを介挿する
ことを特徴とする請求項２記載の散水システム。
【請求項４】
前記散水チューブの開口した端部に設けた第１の電磁弁と、
前記散水チューブから散水するとき、前記第１の電磁弁を閉制御し、前記散水チューブからの散水が終了した時、前記第１の電磁弁を開制御する第１の弁制御部と
を備えることを特徴とする請求項１乃至３いずれか記載の散水システム。
【請求項５】
前記散水チューブが散水する範囲を可変とすることを特徴とする請求項１乃至４いずれか記載の散水システム。
【請求項６】
前記蓄圧タンクと前記散水チューブとの間を接続する互いに径の異なる複数の配管と、
前記配管の各々の流路に設けた第２の電磁弁と、
前記散水チューブが散水する範囲に応じて、前記第２の電磁弁の各々を開閉制御する第２の弁制御部と
を備えることを特徴とする請求項５記載の散水システム。
【請求項７】
前記送水ポンプが吸い込む水を貯めておく貯水タンクと、
前記蓄圧タンクから前記散水チューブに至るまでの配管を前記貯水タンクに連通させる１乃至複数の戻し配管と、
前記戻し配管の各流路に設けた第２の電磁弁と、
前記散水チューブが散水する範囲に応じて、前記第２の電磁弁の各々を開閉制御する第２の弁制御部と
を備えることを特徴とする請求項５記載の散水システム。
【請求項８】
前記蓄圧タンクと前記散水チューブとの間を接続する複数の配管と、
前記配管の各々の流路に設けた第２の電磁弁と、
前記配管の各々の流路に設けた減圧弁と、
前記散水チューブが散水する範囲に応じて、前記第２の電磁弁の各々を開閉制御する第２の弁制御部と
を備えることを特徴とする請求項５記載の散水システム。
【請求項９】
前記送水ポンプが吸い込む水を貯めておく貯水タンクと、
前記蓄圧タンクから前記散水チューブに至るまでの配管を前記貯水タンクに連通させる１乃至複数の戻し配管と、
前記戻し配管の各流路に設けた第２の電磁弁と、
前記戻し配管の各流路に設けた減圧弁と、
前記散水チューブが散水する範囲に応じて、前記第２の電磁弁の各々を開閉制御する第２の弁制御部と
を備えることを特徴とする請求項５記載の散水システム。
【請求項１０】
前記蓄圧タンクと前記散水チューブとの間を接続する配管と、
前記配管の流路に設けた電動弁と、
前記散水チューブが散水する範囲に応じて、前記電動弁の開閉量を比例制御する第２の弁制御部と
を備えることを特徴とする請求項５記載の散水システム。
【請求項１１】
前記送水ポンプが吸い込む水を貯めておく貯水タンクと、
前記蓄圧タンクから前記散水チューブに至るまでの配管を前記貯水タンクに連通させる戻し配管と、
前記戻し配管の流路に設けた電動弁と、
前記散水チューブが散水する範囲に応じて、前記電動弁の開閉量を比例制御する第２の弁制御部と
を備えることを特徴とする請求項５記載の散水システム。
【請求項１２】
散水範囲が互いに異なる複数の前記散水チューブと、
前記蓄圧タンクと前記散水チューブの各々との間を接続する複数の配管と、
前記配管の各流路に設けた第２の電磁弁と、
前記散水チューブが散水する範囲に応じて、前記第２の電磁弁の各々を開閉制御する第２の弁制御部と
を備えることを特徴とする請求項５記載の散水システム。
【請求項１３】
前記散水チューブの配設方向に沿って排水溝を形成し、前記排水溝内に前記散水チューブを配置する支持体を備えることを特徴とする請求項１乃至１２いずれか記載の散水システム。
【請求項１４】
前記蓄圧タンクは、配管を介して前記散水チューブに水を供給し、前記支持体は、前記配管上に固定されることを特徴とする請求項１３記載の散水システム。
【請求項１５】
前記散水チューブに沿って土面内に埋設された仕切り板を備えることを特徴とする請求項１乃至１４いずれか記載の散水システム。
【請求項１６】
前記蓄圧タンクから分岐した複数系統の給水路のそれぞれを介して水を供給される複数の前記散水チューブと、
複数系統の前記給水路のうち、前記蓄圧タンクからの給水路長が他系統の前記給水路に比べて短い前記給水路に設けた弁と、
前記蓄圧タンクから複数系統の前記給水路に対して給水が開始されてから所定時間が経過するまで、前記弁を閉制御し、前記所定時間が経過した時点で前記弁を開制御する第３の弁制御部と
を備えることを特徴とする請求項１乃至１５いずれか記載の散水システム。
【請求項１７】
請求項１乃至１６いずれか記載の散水システムを備えることを特徴とする農業用ハウス。
【発明の詳細な説明】
【技術分野】
【０００１】
本発明は、散水システム、およびこれを用いた農業用ハウスに関するものである。
【背景技術】
【０００２】
従来、農業用ハウス内で栽培される野菜、植物等に散水する散水システムが、提供されている。例えば、農業ハウス内に散水チューブが敷設され、この散水チューブに送水ポンプから水が供給されることによって、散水チューブ周辺の所定範囲に散水する（例えば、特許文献１参照）。
【先行技術文献】
【特許文献】
【０００３】
【特許文献１】特開２０１０−２２２６４号公報
【発明の概要】
【発明が解決しようとする課題】
【０００４】
上記特許文献１では、送水ポンプから散水チューブに至る流路にバルブを設けており、最初にバルブを全開動作させた後に所定の開度に制御して散水を開始することによって、散水前に、散水チューブの全域に亘って水を行き渡らせている。
【０００５】
しかしながら、このような従来の散水システムにおいても、散水開始時における散水チューブ内の水圧が十分でなく、散水開始直後の散水範囲が、目標とする散水範囲に届かないという問題があった。特に、ポリエチレン等の樹脂材料からなる散水チューブは、散水開始時に管壁内の水圧によって外側へ膨張するために、上記問題点が顕著であった。
【０００６】
本発明は、上記事由に鑑みてなされたものであり、その目的は、散水開始直後の散水範囲が、目標とする散水範囲に到達可能な散水システム、およびこれを用いた農業用ハウスを提供することにある。
【課題を解決するための手段】
【０００７】
本発明の散水システムは、水を供給する送水ポンプと、前記送水ポンプから供給された水を加圧して蓄える蓄圧タンクと、前記蓄圧タンクから前記加圧された水を供給され、この加圧された水を散水する散水用の孔を管壁に設けた散水チューブとを備えることを特徴とする。
【０００８】
この発明において、前記散水チューブは、前記蓄圧タンクの出水経路が接続される複数の接続部を備え、前記接続部は、当該散水チューブの軸方向に離間して設けられることが好ましい。
【０００９】
この発明において、前記送水ポンプは、複数の配管を介して前記散水チューブに水を供給し、前記配管の各々に、前記蓄圧タンクを介挿することが好ましい。
【００１０】
この発明において、前記散水チューブの開口した端部に設けた第１の電磁弁と、前記散水チューブから散水するとき、前記第１の電磁弁を閉制御し、前記散水チューブからの散水が終了した時、前記第１の電磁弁を開制御する第１の弁制御部とを備えることが好ましい。
【００１１】
この発明において、前記散水チューブが散水する範囲を可変とすることが好ましい。
【００１２】
この発明において、前記蓄圧タンクと前記散水チューブとの間を接続する互いに径の異なる複数の配管と、前記配管の各々の流路に設けた第２の電磁弁と、前記散水チューブが散水する範囲に応じて、前記第２の電磁弁の各々を開閉制御する第２の弁制御部とを備えることが好ましい。
【００１３】
この発明において、前記送水ポンプが吸い込む水を貯めておく貯水タンクと、前記蓄圧タンクから前記散水チューブに至るまでの配管を前記貯水タンクに連通させる１乃至複数の戻し配管と、前記戻し配管の各流路に設けた第２の電磁弁と、前記散水チューブが散水する範囲に応じて、前記第２の電磁弁の各々を開閉制御する第２の弁制御部とを備えることが好ましい。
【００１４】
この発明において、前記蓄圧タンクと前記散水チューブとの間を接続する複数の配管と、前記配管の各々の流路に設けた第２の電磁弁と、前記配管の各々の流路に設けた減圧弁と、前記散水チューブが散水する範囲に応じて、前記第２の電磁弁の各々を開閉制御する第２の弁制御部とを備えることが好ましい。
【００１５】
この発明において、前記送水ポンプが吸い込む水を貯めておく貯水タンクと、前記蓄圧タンクから前記散水チューブに至るまでの配管を前記貯水タンクに連通させる１乃至複数の戻し配管と、前記戻し配管の各流路に設けた第２の電磁弁と、前記戻し配管の各流路に設けた減圧弁と、前記散水チューブが散水する範囲に応じて、前記第２の電磁弁の各々を開閉制御する第２の弁制御部とを備えることが好ましい。
【００１６】
この発明において、前記蓄圧タンクと前記散水チューブとの間を接続する配管と、前記配管の流路に設けた電動弁と、前記散水チューブが散水する範囲に応じて、前記電動弁の開閉量を比例制御する第２の弁制御部とを備えることが好ましい。
【００１７】
この発明において、前記送水ポンプが吸い込む水を貯めておく貯水タンクと、前記蓄圧タンクから前記散水チューブに至るまでの配管を前記貯水タンクに連通させる戻し配管と、前記戻し配管の流路に設けた電動弁と、前記散水チューブが散水する範囲に応じて、前記電動弁の開閉量を比例制御する第２の弁制御部とを備えることが好ましい。
【００１８】
この発明において、散水範囲が互いに異なる複数の前記散水チューブと、前記蓄圧タンクと前記散水チューブの各々との間を接続する複数の配管と、前記配管の各流路に設けた第２の電磁弁と、前記散水チューブが散水する範囲に応じて、前記第２の電磁弁の各々を開閉制御する第２の弁制御部とを備えることが好ましい。
【００１９】
この発明において、前記散水チューブの配設方向に沿って排水溝を形成し、前記排水溝内に前記散水チューブを配置する支持体を備えることが好ましい。
【００２０】
この発明において、前記蓄圧タンクは、配管を介して前記散水チューブに水を供給し、前記支持体は、前記配管上に固定されることが好ましい。
【００２１】
この発明において、前記散水チューブに沿って土面内に埋設された仕切り板を備えることが好ましい。
【００２２】
この発明において、前記蓄圧タンクから分岐した複数系統の給水路のそれぞれを介して水を供給される複数の前記散水チューブと、複数系統の前記給水路のうち、前記蓄圧タンクからの給水路長が他系統の前記給水路に比べて短い前記給水路に設けた弁と、前記蓄圧タンクから複数系統の前記給水路に対して給水が開始されてから所定時間が経過するまで、前記弁を閉制御し、前記所定時間が経過した時点で前記弁を開制御する第３の弁制御部とを備えることが好ましい。
【００２３】
本発明の農業用ハウスは、本発明の散水システムを備えることを特徴とする。
【発明の効果】
【００２４】
以上説明したように、本発明では、散水開始直後の散水範囲が、目標とする散水範囲に到達することができるという効果がある。
【図面の簡単な説明】
【００２５】
【図１】実施形態１の散水システムの構成を示すブロック図である。
【図２】同上の散水チューブの概略を示す平面図である。
【図３】実施形態２の散水システムの構成を示すブロック図である。
【図４】実施形態３の散水システムの構成を示すブロック図である。
【図５】実施形態４の散水システムの構成を示すブロック図である。
【図６】実施形態５の散水システムの構成を示すブロック図である。
【図７】実施形態６の散水システムの構成を示すブロック図である。
【図８】実施形態７の散水システムの構成を示すブロック図である。
【図９】実施形態８の散水システムの構成を示すブロック図である。
【図１０】実施形態９の散水システムの構成を示すブロック図である。
【図１１】実施形態１０の散水システムの構成を示すブロック図である。
【図１２】実施形態１１の散水システムの構成を示すブロック図である。
【図１３】実施形態１２の散水システムの構成を示すブロック図である。
【図１４】（ａ）（ｂ）同上の支持体の構成を示す断面図および平面図である。
【図１５】（ａ）（ｂ）同上の支持体の固定設置の構成を示す断面図である。
【図１６】（ａ）（ｂ）同上の別の構成を示す断面図および平面図である。
【図１７】実施形態１３の散水システムの構成を示すブロック図である。
【図１８】同上の別の散水システムの構成を示すブロック図である。
【図１９】実施形態１４の農業ハウスの構成を示す概略斜視図である。
【発明を実施するための形態】
【００２６】
以下、本発明の実施の形態を図面に基づいて説明する。但し、以下に示す実施の形態は、本発明の技術的思想を具体化するための装置や方法を例示するものであって、下記の実施の形態に例示した装置や方法に構成を特定するものでない。本発明の技術的思想は、特許請求の範囲に記載された技術的範囲内において、種々の変更を加えることができる。
【００２７】
（実施形態１）
図１は、本実施形態の散水システムの構成を示す。
【００２８】
散水システムは、貯水タンク１と、送水ポンプ２と、蓄圧タンク３と、散水チューブ４と、電磁弁５と、制御部６とを主構成として備える。貯水タンク１は、配管Ｗ１を介して送水ポンプ２の吸込口に接続し、送水ポンプ２の吐出口は、配管Ｗ２を介して蓄圧タンク３の入水口に接続している。蓄圧タンク３の出水口は、配管Ｗ３を介して散水チューブ４の一端に接続しており、配管Ｗ３の流路には、電磁弁５が介挿されている。
【００２９】
貯水タンク１は、水を貯めており、送水ポンプ２は、貯水タンク１から配管Ｗ１を介して水を吸い込む。送水ポンプ２は、貯水タンク１から吸い込んだ水を、配管Ｗ２を介して蓄圧タンク３へ吐出する。蓄圧タンク３は、送水ポンプ２から供給された水を加圧して貯留することによって、所定の水圧を確保している。
【００３０】
そして、蓄圧タンク３の出水口が接続されている配管Ｗ３の流路には、電磁弁５が設けられている。制御部６は、弁制御部６ａを備えており、この弁制御部６ａが、電磁弁５を開閉制御する。そして、電磁弁５が閉状態のとき、蓄圧タンク３から配管Ｗ３を介して散水チューブ４へ水は流れない。一方、電磁弁５が開状態のとき、蓄圧タンク３から配管Ｗ３を介して散水チューブ４へ水が流れる。
【００３１】
散水チューブ４は、ポリエチレン等の樹脂材料からなる中空管であり、その流路の一端に配管Ｗ３を接続し、他端は閉塞している。また、散水チューブ４の管壁には、チューブ内外を連通させる散水孔４ａが複数形成されている。例えば、図２に示すように散水チューブ４の軸方向（長手方向）に沿って等間隔に、２列の散水孔４ａが設けられる。なお、この散水孔４ａの配列は一例であり、他の配列であってもよい。
【００３２】
そして、電磁弁５が閉状態のとき、蓄圧タンク３から散水チューブ４へ水が供給されないので、散水チューブ４の管壁内の水圧は低く、散水孔４ａから散水は行われない。一方、電磁弁５が開状態のとき、蓄圧タンク３から散水チューブ４へ水が供給されるので、散水チューブ４の管壁内の水圧が高くなり、散水孔４ａから散水が行われる。
【００３３】
しかしながら、散水チューブ４は、ポリエチレン等の樹脂材料で成形されており、管壁内の水圧によって外側へ膨張する。したがって、散水開始時には、この散水チューブ４の膨張によって、管壁内の水圧が一時的に低下し、所望の散水範囲にまで水が到達しない虞がある。
【００３４】
そこで、本実施形態では、蓄圧タンク３によって、散水チューブ４に供給される水圧を所定値以上に維持している。そして、電磁弁５が閉状態から開状態に切り替わる散水開始時には、高水圧によって散水チューブ４へ大量送水され、散水チューブ４の管壁内の水圧を早く安定させることができる。したがって、散水開始時においても散水チューブ４の管壁内の水圧を確保して、所望の散水範囲にまで水を到達させることができる。すなわち、散水開始直後の散水範囲が、目標とする散水範囲に到達可能になる。
【００３５】
蓄圧タンク３内に貯留している水の圧力は、圧力センサ（図示なし）の検出値を監視することによって目標値に制御される。または、送水ポンプ２の吐出能力と蓄圧タンク３の容量とから、蓄圧タンク３への給水量に基づいて、蓄圧タンク３内に貯留している水の圧力を推定してもよい。さらに、蓄圧タンク３内の水圧の目標値は、蓄圧タンク３、配管Ｗ３、散水チューブ４の各容量、および散水チューブ４からの散水量を考慮して決定される。なお、蓄圧タンク３の構成は、従来周知であり、詳細な説明は省略する。
【００３６】
（実施形態２）
図３は、本実施形態の散水システムの構成を示す。なお、実施形態１と同様の構成には、同一の符号を付して説明は省略する。
【００３７】
本実施形態の散水チューブ４は、配管Ｗ３（蓄圧タンク３の出水経路）が接続される接続部４ｅ，４ｆ，４ｇを、軸方向に離間して設けている。具体的に、散水チューブ４は、一端、他端、中央の３箇所に、接続部４ｅ，４ｆ，４ｇのそれぞれを設けている。
【００３８】
そして、本実施形態の配管Ｗ３は複数系統に分岐し、分岐した配管Ｗ３の各系統は、散水チューブ４の一端、他端、中央の３箇所に設けた接続部４ｅ，４ｆ，４ｇに接続している。したがって、電磁弁５が開状態のとき、蓄圧タンク３から給水される散水チューブ４は、その軸方向の位置に関わらず、管壁内の水圧が略一定になる。すなわち、長尺の散水チューブ４であっても、その軸方向の位置に関わらず、散水範囲は略一定になり、散水ムラを抑制することができる。
【００３９】
（実施形態３）
図４は、本実施形態の散水システムの構成を示す。なお、実施形態１と同様の構成には、同一の符号を付して説明は省略する。
【００４０】
本実施形態の散水チューブ４は、配管Ｗ３１，Ｗ３２，Ｗ３３が接続される接続部４ｅ，４ｆ，４ｇを、軸方向に離間して設けている。具体的に、散水チューブ４は、一端、他端、中央の３箇所に、接続部４ｅ，４ｆ，４ｇのそれぞれを設けている。
【００４１】
本実施形態の散水システムにおいて、送水ポンプ２の吐出口は、配管Ｗ２を介して３つの蓄圧タンク３１，３２，３３の各入水口に接続している。蓄圧タンク３１，３２，３３の各出水口は、配管Ｗ３１，Ｗ３２，Ｗ３３を介して散水チューブ４の一端、中央、他端の３箇所に設けた接続部４ｅ，４ｆ，４ｇにそれぞれ接続している。そして、配管Ｗ３１，Ｗ３２，Ｗ３３の各流路には、電磁弁５１，５２，５３がそれぞれ設けられている。そして、弁制御部６ａは、電磁弁５１，５２，５３を個別に開閉制御する。
【００４２】
したがって、電磁弁５１，５２，５３の全てが開制御されることによって、散水チューブ４は、その軸方向の位置に関わらず、管壁内の水圧は略一定になる。すなわち、長尺の散水チューブ４であっても、その軸方向の位置に関わらず、散水範囲は略一定になり、散水ムラを抑制することができる。
【００４３】
また、配管Ｗ３１，Ｗ３２，Ｗ３３のそれぞれに、蓄圧タンク３１，３２，３３が設けられているので、散水チューブ４内の水圧をより均一に高く維持することができる。
【００４４】
（実施形態４）
図５は、本実施形態の散水システムの構成を示す。なお、実施形態１と同様の構成には、同一の符号を付して説明は省略する。
【００４５】
散水チューブ４は、流路の両端を開口しており、その開口を閉塞するように電磁弁７１，７２（第１の電磁弁）を設けている。制御部６は、弁制御部６ｂ（第１の弁制御部）を備えており、この弁制御部６ｂが、電磁弁７１，７２を開閉制御する。この散水チューブ４の一端側には、配管Ｗ３が接続されている。
【００４６】
そして、電磁弁５が開状態のとき、蓄圧タンク３から散水チューブ４へ水が供給されるので、散水チューブ４の管壁内の水圧が高くなり、散水孔４ａから散水が行われる。この散水開始時から散水完了時まで、電磁弁７１，７２は閉制御されている。
【００４７】
次に、散水の完了時には、電磁弁５が閉制御されるタイミング（またはそのタイミング近傍）で、電磁弁７１，７２は開制御される。すなわち、散水の完了と同時（または散水の完了と略同時）に電磁弁７１，７２が開状態となることで、散水チューブ４内の水抜きが迅速に行われる。したがって、電磁弁５が閉制御された散水完了後に、散水チューブ４内の水圧は急速に低下するので、散水チューブ４内に残った水が散水孔４ａから漏れ出ることを抑制でき、散水完了後の余分な散水範囲を小さくすることができる。
【００４８】
そして、次回の散水が開始される前に、電磁弁７１，７２は再び閉制御される。
【００４９】
なお、図５では、散水チューブ４の両端開口に電磁弁７１，７２を設けているが、散水チューブ４の一端のみに開口を形成して、この散水チューブ４の一端のみに水抜き用の電磁弁を設ける構成であってもよい。
【００５０】
（実施形態５）
図６は、本実施形態の散水システムの構成を示す。なお、実施形態１と同様の構成には、同一の符号を付して説明は省略する。
【００５１】
まず、蓄圧タンク３の出水口は、配管Ｗ３１，Ｗ３２，Ｗ３３を介して散水チューブ４の一端に接続しており、配管Ｗ３１，Ｗ３２，Ｗ３３の各流路には、電磁弁５１，５２，５３（第２の電磁弁）がそれぞれ設けられている。弁制御部６ａ（第２の弁制御部）が、電磁弁５１，５２，５３を個別に開閉制御する。配管Ｗ３１，Ｗ３２，Ｗ３３は、管径が互いに異なっており、管径が最も大きい配管Ｗ３１，管径が２番目に大きい配管Ｗ３２，管径が最も小さい配管Ｗ３３となっている。
【００５２】
そして、弁制御部６ａが電磁弁５１，５２，５３を個別に開閉制御することによって、蓄圧タンク３から散水チューブ４への送水量を段階的に切り替えることができ、散水チューブ４の散水範囲を段階的に切り替えることが可能となる。なお、弁制御部６ａによる電磁弁５１，５２，５３の開閉制御は、タイマーを用いた自動制御、ユーザによる手動操作のいずれも可能である。
【００５３】
例えば、電磁弁５１：開，電磁弁５２：閉，電磁弁５３：閉である場合、散水チューブ４内の水の流量が最も多く、散水孔４ａから噴出する水の到達距離Ｌも最も長くなって、散水範囲は、散水チューブ４から最も遠くなる。
【００５４】
電磁弁５１：閉，電磁弁５２：開，電磁弁５３：閉である場合、散水チューブ４内の水の流量は比較的多く、散水孔４ａから噴出する水の到達距離Ｌも比較的長くなって、散水範囲は、散水チューブ４から比較的遠くなる。
【００５５】
電磁弁５１：閉，電磁弁５２：閉，電磁弁５３：開である場合、散水チューブ４内の水の流量は最も少なく、散水孔４ａから噴出する水の到達距離Ｌも最も短くなって、散水範囲は、散水チューブ４から最も近くなる。
【００５６】
すなわち、弁制御部６ａが電磁弁５１，５２，５３のいずれか１つのみを開制御することによって、散水チューブ４の散水範囲を段階的に切り替えることが可能となる。
【００５７】
また、上述の例では、電磁弁５１，５２，５３のいずれか１つのみを開制御する構成を例示したが、電磁弁５１，５２，５３のうち２つ以上を任意に組み合わせて開制御するモードを有してもよい。この場合、散水チューブ４の散水範囲の可変幅を、より広くすることができる。
【００５８】
（実施形態６）
図７は、本実施形態の散水システムの構成を示す。なお、実施形態１と同様の構成には、同一の符号を付して説明は省略する。
【００５９】
まず、配管Ｗ３は、電磁弁５の出水側において、戻し配管Ｗ４１，Ｗ４２，Ｗ４３の一端に接続しており、戻し配管Ｗ４１，Ｗ４２，Ｗ４３の他端は貯水タンク１に接続している。戻し配管Ｗ４１，Ｗ４２，Ｗ４３の各流路には、電磁弁８１，８２，８３（第２の電磁弁）がそれぞれ設けられている。制御部６は、弁制御部６ｃ（第２の弁制御部）を備えており、この弁制御部６ｃが、電磁弁８１，８２，８３を個別に開閉制御する。
【００６０】
戻し配管Ｗ４１，Ｗ４２，Ｗ４３は、配管Ｗ３を通って散水チューブ４へ供給される水の一部を貯水タンク１へ戻すための配管である。電磁弁８１，８２，８３のうち開制御される電磁弁の数が多いほど、貯水タンク１へ戻る水量は増大し、散水チューブ４へ供給される水量は減少する。
【００６１】
すなわち、弁制御部６ｃが電磁弁８１，８２，８３を個別に開閉制御することによって、蓄圧タンク３から散水チューブ４への送水量を段階的に切り替えることができ、散水チューブ４の散水範囲を段階的に切り替えることが可能となる。なお、弁制御部６ｃによる電磁弁８１，８２，８３の開閉制御は、タイマーを用いた自動制御、ユーザによる手動操作のいずれも可能である。
【００６２】
例えば、電磁弁８１：閉，電磁弁８２：閉，電磁弁８３：閉である場合、散水チューブ４内の水の流量が最も多く、散水孔４ａから噴出する水の到達距離Ｌも最も長くなって、散水範囲は、散水チューブ４から最も遠くなる。
【００６３】
電磁弁８１：開，電磁弁８２：閉，電磁弁８３：閉である場合、散水チューブ４内の水の流量が２番目に多く、散水孔４ａから噴出する水の到達距離Ｌも２番目に長くなって、散水範囲は、散水チューブ４から２番目に遠くなる。
【００６４】
電磁弁８１：開，電磁弁８２：開，電磁弁８３：閉である場合、散水チューブ４内の水の流量が３番目に多く、散水孔４ａから噴出する水の到達距離Ｌも３番目に長くなって、散水範囲は、散水チューブ４から３番目に遠くなる。
【００６５】
電磁弁８１：開，電磁弁８２：開，電磁弁８３：開である場合、散水チューブ４内の水の流量は最も少なく、散水孔４ａから噴出する水の到達距離Ｌも最も短くなって、散水範囲は、散水チューブ４から最も近くなる。
【００６６】
すなわち、弁制御部６ｃが電磁弁８１，８２，８３を個別に開制御することによって、散水チューブ４の散水範囲を段階的に切り替えることが可能となる。
【００６７】
（実施形態７）
図８は、本実施形態の散水システムの構成を示す。なお、実施形態１と同様の構成には、同一の符号を付して説明は省略する。
【００６８】
まず、蓄圧タンク３の出水口は、配管Ｗ３１，Ｗ３２，Ｗ３３を介して散水チューブ４の一端に接続しており、配管Ｗ３１，Ｗ３２，Ｗ３３の各流路には、電磁弁５１，５２，５３（第２の電磁弁）、減圧弁９１，９２，９３がそれぞれ設けられている。弁制御部６ａ（第２の弁制御部）が、電磁弁５１，５２，５３を個別に開閉制御する。
【００６９】
また、減圧弁９１，９２，９３は、蓄圧タンク３から供給される一次側の高水圧を二次側において低水圧に下げて、二次側の水圧を一定に保つ機能を有する。そして、減圧弁９１，９２，９３には、二次側の水圧が互いに異なるものが用いられており、配管Ｗ３１，Ｗ３２，Ｗ３３は、この二次側の水圧が高いほど、散水チューブ４への送水量が多くなり、散水孔４ａから噴出する水の到達距離Ｌが長くなる。
【００７０】
すなわち、弁制御部６ａが電磁弁５１，５２，５３を個別に開閉制御し、散水チューブ４へ水を供給する配管Ｗ３１，Ｗ３２，Ｗ３３を選択することによって、蓄圧タンク３から散水チューブ４への送水量を段階的に切り替えることができる。すなわち、散水チューブ４の散水範囲を段階的に切り替えることが可能となる。なお、弁制御部６ａによる電磁弁５１，５２，５３の開閉制御は、タイマーを用いた自動制御、ユーザによる手動操作のいずれも可能である。
【００７１】
以下、減圧弁９１，９２，９３の順に、二次側の水圧が高いものとする。
【００７２】
例えば、電磁弁５１：開，電磁弁５２：閉，電磁弁５３：閉である場合、散水チューブ４内の水の流量が最も多く、散水孔４ａから噴出する水の到達距離Ｌも最も長くなって、散水範囲は、散水チューブ４から最も遠くなる。
【００７３】
電磁弁５１：閉，電磁弁５２：開，電磁弁５３：閉である場合、散水チューブ４内の水の流量は２番目に多く、散水孔４ａから噴出する水の到達距離Ｌも２番目に長くなって、散水範囲は、散水チューブ４から２番目に遠くなる。
【００７４】
電磁弁５１：閉，電磁弁５２：閉，電磁弁５３：開である場合、散水チューブ４内の水の流量は最も少なく、散水孔４ａから噴出する水の到達距離Ｌも最も短くなって、散水範囲は、散水チューブ４から最も近くなる。
【００７５】
すなわち、弁制御部６ａが電磁弁５１，５２，５３のいずれか１つのみを開制御することによって、散水チューブ４の散水範囲を段階的に切り替えることが可能となる。
【００７６】
また、上述の例では、電磁弁５１，５２，５３のいずれか１つのみを開制御する構成を例示したが、電磁弁５１，５２，５３のうち２つ以上を任意に組み合わせて開制御するモードを有してもよい。この場合、散水チューブ４の散水範囲の可変幅を、より広くすることができる。
【００７７】
（実施形態８）
図９は、本実施形態の散水システムの構成を示す。なお、実施形態１と同様の構成には、同一の符号を付して説明は省略する。
【００７８】
まず、配管Ｗ３は、電磁弁５の出水側において、戻し配管Ｗ４１，Ｗ４２，Ｗ４３の各一端に接続しており、戻し配管Ｗ４１，Ｗ４２，Ｗ４３の各他端は貯水タンク１に接続している。戻し配管Ｗ４１，Ｗ４２，Ｗ４３の各流路には、電磁弁８１，８２，８３（第２の電磁弁）、減圧弁１０１，１０２，１０３がそれぞれ設けられている。制御部６は、弁制御部６ｃ（第２の弁制御部）を備えており、この弁制御部６ｃが、電磁弁８１，８２，８３を個別に開閉制御する。
【００７９】
戻し配管Ｗ４１，Ｗ４２，Ｗ４３は、配管Ｗ３を通って散水チューブ４へ供給される水の一部を貯水タンク１へ戻すための配管である。
【００８０】
また、減圧弁１０１，１０２，１０３は、蓄圧タンク３から戻し配管Ｗ４１，Ｗ４２，Ｗ４３を通って供給される一次側の高水圧を二次側において低水圧に下げて、二次側の水圧を一定に保つ機能を有する。そして、減圧弁１０１，１０２，１０３には、二次側の水圧が互いに異なるものが用いられており、戻し配管Ｗ４１，Ｗ４２，Ｗ４３は、この二次側の水圧が高いほど、貯水タンク１へ戻る水量が増大する。そして、貯水タンク１へ戻る水量が増大するほど、配管Ｗ３を介して散水チューブ４へ供給される水量は減少し、散水孔４ａから噴出する水の到達距離Ｌが短くなる。
【００８１】
すなわち、弁制御部６ｃが電磁弁８１，８２，８３を個別に開閉制御し、貯水タンク１へ水を戻す戻し配管Ｗ４１，Ｗ４２，Ｗ４３を選択することによって、蓄圧タンク３から散水チューブ４への送水量を段階的に切り替えることができる。すなわち、散水チューブ４の散水範囲を段階的に切り替えることが可能となる。なお、弁制御部６ｃによる電磁弁８１，８２，８３の開閉制御は、タイマーを用いた自動制御、ユーザによる手動操作のいずれも可能である。
【００８２】
以下、減圧弁１０３，１０２，１０１の順に、二次側の水圧が高いものとする。
【００８３】
例えば、電磁弁８１：開、電磁弁８２：閉、電磁弁８３：閉である場合、減圧弁の二次側水圧が最も低い戻し配管Ｗ４１のみを通って貯水タンク１へ水が戻る。したがって、散水チューブ４内の水の流量が最も多く、散水孔４ａから噴出する水の到達距離Ｌも最も長くなって、散水範囲は、散水チューブ４から最も遠くなる。
【００８４】
電磁弁８１：閉、電磁弁８２：開、電磁弁８３：閉である場合、減圧弁の二次側水圧が２番目に高い戻し配管Ｗ４２のみを通って貯水タンク１へ水が戻る。したがって、散水チューブ４内の水の流量が２番目に多く、散水孔４ａから噴出する水の到達距離Ｌも２番目に長くなって、散水範囲は、散水チューブ４から２番目に遠くなる。
【００８５】
電磁弁８１：閉、電磁弁８２：閉、電磁弁８３：開である場合、減圧弁の二次側水圧が最も高い戻し配管Ｗ４３のみを通って貯水タンク１へ水が戻る。したがって、散水チューブ４内の水の流量が最も少なく、散水孔４ａから噴出する水の到達距離Ｌも最も短くなって、散水範囲は、散水チューブ４から最も近くなる。
【００８６】
すなわち、弁制御部６ｃが電磁弁８１，８２，８３を個別に開制御することによって、散水チューブ４の散水範囲を段階的に切り替えることが可能となる。
【００８７】
また、電磁弁８１，８２，８３のうち開制御される電磁弁の数が多いほど、貯水タンク１へ戻る水量は増大し、散水チューブ４へ供給される水量は減少する。上述の例では、電磁弁８１，８２，８３のいずれか１つのみを開制御する構成を例示したが、電磁弁８１，８２，８３のうち２つ以上を任意に組み合わせて開制御するモードを有してもよい。この場合、散水チューブ４の散水範囲の可変幅を、より広くすることができる。
【００８８】
（実施形態９）
図１０は、本実施形態の散水システムの構成を示す。なお、実施形態１と同様の構成には、同一の符号を付して説明は省略する。
【００８９】
まず、蓄圧タンク３の出水口は、配管Ｗ３を介して散水チューブ４の一端に接続しており、配管Ｗ３の流路には、電動弁１１０が設けられている。制御部６は、弁制御部６ｄ（第２の弁制御部）を備えており、この弁制御部６ｄが、電動弁１１０の開度を比例制御する。
【００９０】
そして、弁制御部６ｄが電動弁１１０の開度を比例制御することによって、蓄圧タンク３から散水チューブ４への送水量を連続的に変動させることができ、散水チューブ４の散水範囲を連続的に調整することが可能となる。なお、弁制御部６ｄによる電動弁１１０の比例制御は、タイマーを用いた自動制御、ユーザによる手動操作のいずれも可能である。
【００９１】
例えば、電動弁１１０の開度を大きくした場合、散水チューブ４内の水の流量が多くなり、散水孔４ａから噴出する水の到達距離Ｌも長くなって、散水範囲は、散水チューブ４から遠くなる。
【００９２】
電動弁１１０の開度を小さくした場合、散水チューブ４内の水の流量が少なくなり、散水孔４ａから噴出する水の到達距離Ｌも短くなって、散水範囲は、散水チューブ４から近くなる。
【００９３】
（実施形態１０）
図１１は、本実施形態の散水システムの構成を示す。なお、実施形態１と同様の構成には、同一の符号を付して説明は省略する。
【００９４】
まず、配管Ｗ３は、電磁弁５の出水側において、戻し配管Ｗ５の一端に接続しており、戻し配管Ｗ５の他端は貯水タンク１に接続している。戻し配管Ｗ５の流路には、電動弁１２０が設けられている。制御部６は、弁制御部６ｅ（第２の弁制御部）を備えており、この弁制御部６ｅが、電動弁１２０の開度を比例制御する。
【００９５】
戻し配管Ｗ５は、配管Ｗ３を通って散水チューブ４へ供給される水の一部を貯水タンク１へ戻すための配管である。
【００９６】
すなわち、弁制御部６ｅが電動弁１２０の開度を比例制御し、戻し配管Ｗ５を通って貯水タンク１へ戻る水量を調整することによって、蓄圧タンク３から散水チューブ４への送水量を連続的に変動させることができる。すなわち、散水チューブ４の散水範囲を連続的に調整することが可能となる。なお、弁制御部６ｅによる電動弁１２０の比例制御は、タイマーを用いた自動制御、ユーザによる手動操作のいずれも可能である。
【００９７】
例えば、電動弁１２０の開度を小さくした場合、戻し配管Ｗ５を通って貯水タンク１へ戻る水量が減少し、散水チューブ４内の水の流量が多くなるので、散水孔４ａから噴出する水の到達距離Ｌも長くなって、散水範囲は、散水チューブ４から遠くなる。
【００９８】
電動弁１２０の開度を大きくした場合、戻し配管Ｗ５を通って貯水タンク１へ戻る水量が増加し、散水チューブ４内の水の流量が少なくなるので、散水孔４ａから噴出する水の到達距離Ｌも短くなって、散水範囲は、散水チューブ４から近くなる。
【００９９】
（実施形態１１）
図１２は、本実施形態の散水システムの構成を示す。なお、実施形態１と同様の構成には、同一の符号を付して説明は省略する。
【０１００】
本実施形態の配管Ｗ３は複数系統（図１２では２系統の配管Ｗ３ａ，Ｗ３ｂ）に分岐し、分岐した配管Ｗ３ａ，Ｗ３ｂの各流路には、電磁弁１３１，１３２（第２の電磁弁）がそれぞれ設けられている。そして、弁制御部６ａ（第２の弁制御部）が、電磁弁１３１，１３２を個別に開閉制御する。
【０１０１】
さらに、本実施形態では、２つの散水チューブ４１，４２を用いる。散水チューブ４１は、配管Ｗ３ａに接続し、散水チューブ４２は、配管Ｗ３ｂに接続している。散水チューブ４１，４２は、管径や、散水孔４ａの孔径等が互いに異なり、同じ蓄圧タンク３から水を供給された場合でも、散水孔４ａから噴出する水の到達距離Ｌが互いに異なる。図１２では、散水チューブ４２の到達距離Ｌ２が、散水チューブ４１の到達距離Ｌ１より長くなる。
【０１０２】
そして、弁制御部６ａが電磁弁１３１，１３２を個別に開閉制御することによって、蓄圧タンク３から散水チューブ４１，４２のいずれに水を供給するかを切り替えることができる。そこで、散水チューブ４１，４２を互いに近接して並設し、散水チューブ４１，４２のいずれから散水するかを切り替えることによって、散水範囲を段階的に切り替えることが可能となる。なお、弁制御部６ａによる電磁弁１３１，１３２の開閉制御は、タイマーを用いた自動制御、ユーザによる手動操作のいずれも可能である。
【０１０３】
（実施形態１２）
図１３は、本実施形態の散水システムの構成を示す。なお、実施形態１と同様の構成には、同一の符号を付して説明は省略する。
【０１０４】
まず、蓄圧タンク３の出水口は、配管Ｗ３を介して散水チューブ４の一端に接続しており、配管Ｗ３の流路には、電磁弁５が介挿されている。
【０１０５】
散水チューブ４に供給される水圧は、蓄圧タンク３によって所定値以上に維持されている。そして、電磁弁５が閉状態から開状態に切り替わる散水開始時には、高水圧によって散水チューブ４へ大量送水され、散水チューブ４の管壁内の水圧を早く安定させることができる。
【０１０６】
しかしながら、散水チューブ４の全長が長い場合、電磁弁５が閉状態から開状態に切り替わる散水開始時において、散水チューブ4の水圧は、散水チューブ４の一端側から他端側に向かって次第に高くなる。而して、散水チューブ４の他端側においては、散水開始時に散水孔４ａから低水圧の水が漏れ出た後に、高水圧の水による散水が始まることがある。また、電磁弁５が閉制御された散水完了後には、散水チューブ４内に残った水が散水孔４ａから漏れ出ることがある。この散水孔４ａから漏れ出た水は、散水チューブ４近傍の土壌に浸透する。
【０１０７】
したがって、散水チューブ４近傍の農作物は、散水開始時および散水完了時に散水孔４ａから漏れ出た水によって水量過多となる。この水量過多は、散水対象である農作物の病気発生の要因となる。
【０１０８】
そこで、散水チューブ４は、長尺状の支持体１４上に載置されている。支持体１４は、図１４（ａ）（ｂ）に示すように、矩形板上の底面１４ａと、底面１４ａの短手方向の両側縁から上方向に立ち上がった一対の側壁１４ｂを備える。そして、散水チューブ４は、散水チューブ４の軸方向が支持体１４の長手方向に沿うように、底面１４ａ上に載置される。
【０１０９】
支持体１４の底面１４ａ、一対の側壁１４ｂで構成される溝は、排水溝１４ｃを構成しており、散水チューブ４の散水孔４ａから漏れ出た水は、排水溝１４ｃ内を長尺方向に流れて、支持体１４の端部から排水される。支持体１４の底面１４ａは、散水チューブ４の一端側から他端側に向かって低くなるように傾斜する構成、または散水チューブ４の他端側から一端側に向かって低くなるように傾斜する構成が望ましい。あるいは、支持体１４の底面１４ａは、長尺方向の中央を頂点として、この頂点から一端および他端に向かって低くなるように傾斜する構成であってもよい。
【０１１０】
すなわち、支持体１４は、散水チューブ４の配設方向に沿って排水溝１４ｃを形成し、排水溝１４ｃ内に散水チューブ４を配置している。したがって、散水チューブ４の散水孔４ａから漏れ出た水は、排水溝１４ｃを伝って排水されるので、散水チューブ４近傍の農作物に対する水量過多を抑制でき、散水対象である農作物の病気発生を抑えることができる。
【０１１１】
さらに、支持体１４は、底面１４ａ上に散水チューブ４を固定する固定部１４ｄを設ける。固定部１４ｄは、散水チューブ４を固定するベルト、樹脂で成形された係止手段等であり、その固定方法は限定しない。
【０１１２】
また、支持体１４は、図１５（ａ）（ｂ）に示すように、配管Ｗ３の上部に固定設置されてもよい。この場合、支持体１４は、配管Ｗ３の上部に載置された状態で、ベルト等を用いて配管Ｗ３に固定される。そして、配管Ｗ３の上部に固定設置された支持体１４に散水チューブ４が配設される。この場合、配管Ｗ３は、農作物を栽培する土面２１０（作付け面）の表面に配置する地上設置（図１５（ａ））、または土面２１０中に埋設し、配管Ｗ３の上端近傍のみを土面２１０の表面に露出させる埋設設置（図１５（ｂ））のいずれでもよい。
【０１１３】
次に、散水チューブ４の近傍の農作物に対する水量過多を抑制する別の方法を、図１６（ａ）（ｂ）に示す。
【０１１４】
散水チューブ４は、農作物を栽培する土面２１０（作付け面）の表面に配設されている。そして、散水チューブ４の軸方向に沿って土面２１０内には仕切り板１５が埋設されている。仕切り板１５は、樹脂、コンクリート、金属等の水不浸透性の材質で形成されており、地上から土面２１０の深さ２０〜３０ｃｍ程度まで埋め込まれる。仕切り板１５の長さは、散水チューブ４の全長より長いことが望ましい。
【０１１５】
土面２１０の地中は、仕切り板１５によって、散水チューブ４の下方領域と、農作物の栽培領域とが仕切られており、散水孔４ａから漏れ出た水が、農作物の栽培領域に浸透することを抑えられる。したがって、散水チューブ４近傍の農作物に対する水量過多を抑制でき、散水対象である農作物の病気発生を抑えることができる。
【０１１６】
なお、本実施形態の支持体１４または仕切り板１５は、実施形態１だけでなく、他の実施形態に示す散水システムと組み合わせてよく、この場合も上記同様の効果を得ることができる。
【０１１７】
（実施形態１３）
図１７は、本実施形態の散水システムの構成を示す。なお、実施形態１と同様の構成には、同一の符号を付して説明は省略する。
【０１１８】
本実施形態の配管Ｗ３は複数系統（図１７では２系統の配管Ｗ３ａ，Ｗ３ｂ）の給水路に分岐している。そして、分岐前の配管Ｗ３の流路には電磁弁５が設けられている。
【０１１９】
さらに、本実施形態では、２つの散水チューブ４３，４４を用いる。散水チューブ４３は、配管Ｗ３ａに接続し、散水チューブ４４は、配管Ｗ３ｂに接続している。
【０１２０】
散水チューブ４３，４４のそれぞれは、農業用ハウスＨの両側壁に沿って、農作物を栽培する土面２１０（作付け面）を挟んで配設されており、散水チューブ４３，４４の各軸方向が互いに平行となるように並設されている。なお、図１７における散水チューブ４は、軸方向に沿って散水孔４ａを一列のみ形成しており、この散水孔４ａから噴出する水は、土面２１０に向かって散水される。
【０１２１】
また、蓄圧タンク３は、配管Ｗ３を通って配管Ｗ３ａ，Ｗ３ｂのそれぞれに給水するが、農業用ハウスＨ内の作業性を考慮して、農業用ハウスの一方の側壁（図１７では、配管Ｗ３ａ側）の近くに設置される。したがって、蓄圧タンク３から遠い散水チューブ４４に接続する配管Ｗ３ｂの配管長（給水路長）は、蓄圧タンク３に近い散水チューブ４３に接続する配管Ｗ３ａの配管長（給水路長）に比べて長くなる。
【０１２２】
この場合、弁制御部６ａが電磁弁５を開制御し、蓄圧タンク３からの給水を開始すると、散水チューブ４４の散水孔４ａからの散水開始が、散水チューブ４３の散水孔４ａからの散水開始より遅れてしまう。すなわち、配管長（給水路長）が長い配管Ｗ３ｂに接続した散水チューブ４４は、配管抵抗が大きいため、配管長が短い配管Ｗ３ａに接続した散水チューブ４３に比べて、散水開始が遅れる。
【０１２３】
したがって、散水チューブ４３，４４とで、散水開始時における散水量が異なってしまう。大量の散水を行う場合、散水開始時の散水量の差は問題ないが、冷却のための散水を行う場合、散水開始時における散水量の差が土壌の水分量に影響し、農作物の病気発生の要因となる。
【０１２４】
そこで、本実施形態では、配管長が短い配管Ｗ３ａの流路に電磁弁１６を設けており、弁制御部６ｆ（第３の弁制御部）が、電磁弁１６を開閉制御する。
【０１２５】
弁制御部６ｆは、弁制御部６ａが電磁弁５を開制御して、蓄圧タンク３からの給水を開始したタイミング（給水開始タイミング）を検出している。弁制御部６ｆは、給水開始タイミングを検出してから予め決められた待機時間が経過するまで、電磁弁１６を閉制御する。そして、弁制御部６ｆは、給水開始タイミングを検出してから待機時間が経過した後に、電磁弁１６を開制御する。この待機時間は、給水開始タイミングから、配管Ｗ３ａから散水チューブ４３へ供給される水の水圧と配管Ｗ３ｂから散水チューブ４４へ供給される水の水圧とが互いに等しくまでに要する時間に設定される。
【０１２６】
すなわち、弁制御部６ｆは、配管Ｗ３ａから散水チューブ４３へ供給される水圧と、配管Ｗ３ｂから散水チューブ４４へ供給される水圧とが互いに等しくなった時点で電磁弁１６を開制御するので、散水開始時における散水チューブ４３，４４の各散水量を等しくできる。
【０１２７】
図１７では、２系統の配管Ｗ３ａ，Ｗ３ｂに分岐しているが、３系統以上に分岐している場合、蓄圧タンク３からの給水路長が他系統の配管に比べて短い配管に電磁弁１６を設ける。例えば、蓄圧タンク３からの給水路長が最長である配管以外の全ての配管に電磁弁１６を設ける構成や、蓄圧タンク３からの給水路長が最長である配管に比べて、所定長さ以上短い配管に電磁弁１６を設ける構成等がある。この場合、給水路長が異なる全ての配管から各散水チューブへ供給される水圧が互いに等しくなった時点で電磁弁１６を開制御する。
【０１２８】
また、図１８に示すように、電磁弁１６の代わりに電動弁１７を用いてもよい。この場合、配管Ｗ３ａの出水側（散水チューブ４３の入水口近傍）の水圧を計測する圧力計１８ａ、配管Ｗ３ｂの出水側（散水チューブ４４の入水口近傍）の水圧を計測する圧力計１８ｂを設ける。圧力計１８ａ，１８ｂは、配管Ｗ３ａ，Ｗ３ｂの各出水側の水圧を計測することによって、散水チューブ４３，４４に供給される水の各水圧を計測している。そして、弁制御部６ｆは、圧力計１８ａの計測結果が圧力計１８ｂの計測結果に等しくなるように、電動弁１７の開度を調整する。すなわち、弁制御部６ｆは、散水開始時に散水チューブ４３，４４の各水圧が等しくなるように電動弁１７の開度を制御するので、散水開始時における散水チューブ４３，４４の各散水量を等しくできる。
【０１２９】
（実施形態１４）
図１９は、実施形態１の散水システムを用いた農業用ハウスＨの構成を示す。
【０１３０】
農業用ハウスＨは、ハウス空間を形成する鋼管の組み合わせからなる構造体２０１と、構造体２０１に支持されてハウス空間を覆う光透過性の被覆材２０２とでハウス本体２００を構成している。なお、上述のハウス空間は、互いに対向する長辺部、および互いに対向する短辺部とで構成される略直方体状の空間に形成される。
【０１３１】
ハウス本体２００内の土面２１０には、ほうれん草、小松菜、水菜、菊菜等の軟弱野菜が対象植物２１１として栽培されている。そして、ハウス本体２００には、実施形態１の散水システムが用いられており、貯水タンク１、送水ポンプ２、蓄圧タンク３、散水チューブ４、制御盤Ｐを備える。制御盤Ｐは、制御部６を収納している。なお、電磁弁５は、散水チューブ４に設けられており、図１９に図示されていない。
【０１３２】
そして、散水チューブ４は、少なくともハウス本体２００の互いに対向する長辺部に沿うように、土面２１０上に敷設されている。すなわち、土面２１０は、散水チューブ４に挟まれている。なお、図１９における散水チューブ４は、軸方向に沿って散水孔４ａを一列のみ形成しており、この散水孔４ａから噴出する水は、土面２１０に向かって散水される。
【０１３３】
本実施形態の農業用ハウスＨにおいても、蓄圧タンク３によって、散水チューブ４に供給される水圧を所定値以上に維持している。したがって、散水開始時においても散水チューブ４の管壁内の水圧を確保して、所望の散水範囲にまで水を到達させることができる。なお、実施形態２乃至１３いずれかの散水システムを用いてもよく、この場合も上記同様の効果を得ることができる。
【０１３４】
さらに、土面２１０の上方には、ミスト用チューブ２２０が敷設されている。ミスト用チューブ２２０は、貯水タンク１から図示しない配管を通って水が供給されて、ミスト状の水を農業用ハウスＨ内に噴霧する。
【０１３５】
また、農業用ハウスＨの側面の一部において、開閉可能な側窓２３１を設けている。側窓２３１の開閉状態によって、ハウス空間への外気の取り込み量を調整することができる。
【０１３６】
また、農業用ハウスＨ内において、ハウス空間の側面および天井面には、遮光用の側カーテン２３２ａおよび天井カーテン２３２ｂが開閉自在に設けられており、被覆材２０２を通過して農業用ハウスＨ内に入射する太陽光を調整することができる。例えば、側カーテン２３２ａ、天井カーテン２３２ｂを閉めることによって、入射熱によるハウス空間内の温度上昇を抑制することができる。なお、側カーテン２３２ａ、天井カーテン２３２ｂは、図示しないモータ等を用いた駆動手段によって、開閉制御が行われる。
【０１３７】
また、農業用ハウスＨの側面上方には換気装置２３３が取り付けられている。そして、換気装置２３３を駆動することによって、ハウス空間内の空気を循環させることができ、さらにはハウス空間内外の強制吸気、強制排気を行うことができる。
【０１３８】
また、側カーテン２３２ａおよび天井カーテン２３２ｂ、換気装置２３３の動作制御は、制御盤Ｐ内の図示しないコントローラによって行われる。
【０１３９】
また、対象植物２１１は、上述の軟弱野菜に限定されるものではない。
【０１４０】
また、上述の各実施形態において、配管と散水チューブとの接続は、その接続形態によって、入口継手、中間継手、Ｌ型継手、Ｔ型継手等を適宜用いて行われる。
【０１４１】
なお、上述の各実施形態において、蓄圧タンク３を設ける代わりに、送水ポンプ２をインバータ駆動することによっても、散水範囲を可変とすることができる。あるいは、上述の各実施形態において、蓄圧タンク３を設ける代わりに、複数台の送水ポンプ２を設けて、散水チューブ４へ給水する送水ポンプ２の台数を切り替えることによっても散水範囲を可変とすることができる。
【０１４２】
上記の他、本発明の実施の形態を応用した構成等、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【０１４３】
１  貯水タンク
２  送水ポンプ
３  蓄圧タンク
４  散水チューブ
４ａ  散水孔
５  電磁弁
６  制御部
６ａ  弁制御部
【図１】
2014057568.tif 000003
【図２】
2014057568.tif 000004
【図３】
2014057568.tif 000005
【図４】
2014057568.tif 000006
【図５】
2014057568.tif 000007
【図６】
2014057568.tif 000008
【図７】
2014057568.tif 000009
【図８】
2014057568.tif 000010
【図９】
2014057568.tif 000011
【図１０】
2014057568.tif 000012
【図１１】
2014057568.tif 000013
【図１２】
2014057568.tif 000014
【図１３】
2014057568.tif 000015
【図１４】
2014057568.tif 000016
【図１５】
2014057568.tif 000017
【図１６】
2014057568.tif 000018
【図１７】
2014057568.tif 000019
【図１８】
2014057568.tif 000020
【図１９】
2014057568.tif 000021